(57)【要約】【課題】光ディスクのレーベル面に可視情報を印刷する記録媒体駆動装置およびレーベル面印刷方法を提供すること。【解決手段】記録媒体の記録面へのデータ信号の記録，および記録面からのデータ信号の再生の少なくともいずれかを行う記録および／または再生部１４０と、記録媒体の記録面と異なる主面にインクジェット方式により可視情報を印刷する印刷部１１０と、記録媒体に対して駆動を行うドライバ１３４と、ドライバの駆動速度を，主面に可視情報を印刷する印刷モードと，記録面にデータ信号の記録または再生を行う記録または再生モードと，で切替える回転制御部１８０と、を含むことを特徴とする。  【選択図】    図８
2007257764.tif 000002
【特許請求の範囲】
【請求項１】
記録媒体の記録面へのデータ信号の記録，および前記記録面からのデータ信号の再生の少なくともいずれかを行う記録および／または再生部と；
前記記録媒体の前記記録面とは異なる主面にインクジェット方式により可視情報を印刷する印刷部と；
前記記録媒体に対する駆動を行うドライバと；
前記ドライバの駆動速度を，前記主面に可視情報を印刷する印刷モードと，前記記録面に前記データ信号の記録または再生を行う記録または再生モードと，で切替えるドライブ制御部と；
を含むことを特徴とする，記録媒体駆動装置。
【請求項２】
前記印刷モードの駆動速度は，前記記録または再生モードの駆動速度より遅いことを特徴とする，請求項１に記載の記録媒体駆動装置。
【請求項３】
前記印刷部は，前記記録媒体の記録面に記録された基準信号から読み出された前記記録媒体の位置情報に基づいて印刷位置を調整することを特徴とする，請求項１に記載の記録媒体駆動装置。
【請求項４】
前記基準信号は，前記記録媒体の１または２以上の所定の半径距離における円周上に記録されることを特徴とする，請求項３に記載の記録媒体駆動装置。
【請求項５】
前記印刷部は，前記可視情報の印刷位置の前記記録媒体の中心からの半径距離に応じて単位時間あたりのインクの吐出回数を調整することを特徴とする，請求項１に記載の記録媒体駆動装置。
【請求項６】
記録媒体の記録面へのデータ信号の記録，および前記記録面からのデータ信号の再生の少なくともいずれかを行う記録および／または再生部と，前記記録媒体の前記記録面とは異なる主面にインクジェット方式により可視情報を印刷する印刷部とを含む記録媒体装置を用いて前記可視情報を印刷する記録媒体駆動方法であって：
前記記録媒体を駆動するドライバの駆動速度を，前記主面に可視情報を印刷する印刷モードと，前記記録面に前記データ信号の記録または再生を行う記録または再生モードと，で切替えることを特徴とする，記録媒体駆動方法。
【発明の詳細な説明】
【技術分野】
【０００１】
本発明は，記録媒体のレーベル面に可視情報を印刷する記録媒体駆動装置および記録媒体駆動方法に関する。
【背景技術】
【０００２】
近年，映像や音声をデジタル形式で記録するメディアとして，光学式の記録媒体である光ディスクが急速に普及している。特に，光ディスクに記録した内容に関する情報（可視情報）をディスク表面に表示できることから，インクジェットプリンタにより印刷可能な印刷面（主面）を備えた光ディスクが注目を集めている。
【０００３】
従来は，ユーザが，録画装置を用いて光ディスクに映像や音声などのデータ信号を記録した後に，専用のプリンタに光ディスクを入替え，ＰＣ（Ｐｅｒｓｏｎａｌ  Ｃｏｍｐｕｔｅｒ）上で作成した可視情報を光ディスクに印刷していた。しかし，光ディスクに映画やスポーツ中継などを記録する度にＰＣや専用のプリンタを用いて可視情報を印刷することは煩雑であった。
【０００４】
これに対し，特許文献１には，光ディスクに映像や音声などのデータ信号を記録する際に，同時に可視情報を印刷することにより，ユーザの手間を軽減する装置が開示されている。
【特許文献１】特開２００４−１１０９９４号公報
【発明の開示】
【発明が解決しようとする課題】
【０００５】
しかし，光ディスクにデータ信号の記録と可視情報の印刷を同時に行うとすると良好な印刷品質が得られないという問題があった。すなわち，データ信号を記録する際には光ディスクを高速に回転させる必要があり，高速に回転している光ディスクにインクを着弾させると，インクは着弾後に遠心力の影響を受けてずれてしまう場合があった。また，インクの飛翔速度にはばらつきがあるため，光ディスクが高速に回転するほど，インクの着弾位置が光ディスクの周方向にずれてしまうという問題があった。
【０００６】
そこで，本発明は，上記問題に鑑みてなされたものであり，本発明の目的とするところは，記録媒体に可視情報をインクジェットにより印刷する際に，インクの着弾位置および着弾後のずれを抑制し，良好な印刷品質を得ることが可能な，新規かつ改良された記録媒体駆動装置および記録媒体駆動方法を提供することにある。
【課題を解決するための手段】
【０００７】
上記課題を解決するために，本発明のある観点によれば，記録媒体の記録面へのデータ信号の記録，および記録面からのデータ信号の再生の少なくともいずれかを行う記録および／または再生部と，記録媒体の記録面とは異なる主面にインクジェット方式により可視情報を印刷する印刷部と，記録媒体に対する駆動を行うドライバと，ドライバの駆動速度を，主面に可視情報を印刷する印刷モードと，記録面にデータ信号の記録または再生を行う記録または再生モードと，で切替えるドライブ制御部と，を含むことを特徴とする，記録媒体駆動装置が提供される。
【０００８】
かかる構成によれば，ドライバおよびドライバと連動する記録媒体の駆動は，ドライブ制御部により制御される。ドライブ制御部は，記録媒体の駆動速度をデータ信号の記録時と可視情報（レーベル情報）の印刷時で切替え可能であるため，データ信号の記録と可視情報の印刷とをそれぞれ記録媒体の最適な駆動速度の下で行うことが可能となる。
【０００９】
印刷モードの駆動速度は，記録または再生モードの駆動速度より遅くすることができる。かかる構成によれば，印刷時における駆動速度を遅くすることにより，インクが記録媒体に着弾した後にインクに生じる遠心力を抑制することができる。また，印刷部に複数のノズルが備えられており，それぞれのノズルでインクを吐出する速度にばらつきがあっても，該ばらつきにより生じるインクの着弾位置の誤差を減殺することができる。
【００１０】
印刷部は，記録媒体の記録面に記録された基準信号から読み出された記録媒体の位置情報に基づいて印刷位置を調整するとしてもよい。かかる構成によれば，記録媒体上の任意の点における絶対的な位置を示す位置情報を検出することにより，適宜印刷位置を補正しながら可視情報の印刷を行うことができる。また，印刷した可視情報の印刷領域を正確に認識できるため，該印刷領域を記録媒体の記録面の所定領域や外部記憶装置に記憶することにより，事後的に新たな可視情報を未印刷領域に印刷することができる。
【００１１】
基準信号は，記録媒体の１または２以上の所定の半径距離における円周上に記録されるとしてもよい。かかる構成により，記録および／または再生部が基準信号を常に検出することができる。また，基準信号を複数記録けることにより，いずれかの基準信号がキズや汚れの影響で読取れなかった場合にも他の基準信号を読取って可視情報の印刷に反映させることができる。
【００１２】
印刷部は，可視情報の印刷位置の記録媒体の中心からの半径距離に応じて単位時間あたりのインクの吐出回数を調整するとしてもよい。かかる構成よれば，一定の回転（駆動）速度の下で記録媒体の１つである光ディスクに可視情報を印刷した場合に生じる，光ディスクの内外周における印刷濃度差を解消することができる。すなわち，円周の長さは半径距離に比例するため，インクの着弾する間隔（ドット間隔）も半径距離に比例する。したがって，内周部においてはドット間隔が狭くなり印刷濃度が増すため，例えば印刷部が内周部を印刷する際に吐出するインクを間引くことにより，内外周部全域に渡って均一な印刷濃度で可視情報を印刷することができる。
【００１３】
また，上記課題を解決するために，本発明の別の観点によれば，記録媒体の記録面へのデータ信号の記録，および記録面からのデータ信号の再生の少なくともいずれかを行う記録および／または再生部と，記録媒体の記録面とは異なる主面にインクジェット方式により可視情報を印刷する印刷部とを含む記録媒体装置を用いて可視情報を印刷する記録媒体駆動方法であって，記録媒体を駆動するドライバの駆動速度を，主面に可視情報を印刷する印刷モードと，記録面にデータ信号の記録または再生を行う記録または再生モードと，で切替えることを特徴とする，記録媒体駆動方法が提供される。かかる構成によれば，印刷時における駆動速度を遅くすることにより，インクが記録媒体に着弾した後にインクに生じる遠心力を抑制することができる。また，印刷部に複数のノズルが備えられており，それぞれのノズルでインクを吐出する速度にばらつきがあっても，該ばらつきにより生じるインクの着弾位置の誤差を減殺することができる。
【発明の効果】
【００１４】
以上説明したように本発明によれば，記録媒体に可視情報をインクジェットにより印刷する際に，インクの着弾位置および着弾後のずれを抑制し，良好な印刷品質を得ることができる。
【発明を実施するための最良の形態】
【００１５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１６】
（第一の実施形態）
まず，本発明の第一の実施形態にかかる光ディスク装置の構成について図１〜図４を用いて説明する。
【００１７】
図１は，本実施形態による光ディスク装置の概略外観を示した平面図である。図２は、本実施形態による光ディスク装置の概略外観を示した側面図である。なお，図示の例では，光ディスク装置に光ディスクが搭載された状態を示している。
【００１８】
光ディスク装置１００は，記録媒体である光ディスク２００のレーベル面（主面）に，文字や画像などの可視情報としてのレーベル情報を印刷する印刷部と，光ディスク２００の記録面に，データ信号の記録、または光ディスク２００の記録面からデータ信号を再生する記録および／または再生部を含み，記録媒体駆動装置として機能する。
【００１９】
印刷部は，プリントヘッド１１０と，インクカートリッジ１１２と，ヘッドキャップ１１４と，吸引ポンプ１１６と，廃インク吸収体１１８と，第一ガイドシャフト１２０と，シャフト支持部１２２と，ブレード１２４と，を含む。
【００２０】
プリントヘッド１１０は，光ディスク２００と対向するノズル面１５０にインクを吐出するノズル列１５２を含み，インクジェット方式により該ノズルから例えば８．４ＫＨｚのインク吐出周波数でインクを吐出する。なお，インクジェット方式は，インクをノズル列１５２から微細な液滴として吐出し、用紙に付着させる方式をいう。
【００２１】
また，プリントヘッド１１０は，印刷時待機時に光ディスク２００の外側に退避し，印刷時に光ディスク２００の上方に配される。また，プリントヘッド１１０は，ノズルの増粘インク，気泡および異物などを排出するために，印刷前や印刷後にインクをダミー吐出する機能を有する。
【００２２】
インクカートリッジ１１２は，所定色のインクを含み，プリントヘッド１１０にインクを供給する。より詳細には，インクカートリッジ１１２は，筒状の樹脂からなる容器であり，スポンジやセラミックなどの多孔質体を内蔵している。そして，該多孔質体の毛細管力によりインクが蓄えられている。インクカートリッジ１１２は，連結部１１３を介してプリントヘッド１１０にインクを供給する。このようなインクカートリッジ１１２は，連結部１１３において着脱可能であるため，インクがなくなった場合には，インクカートリッジ１１２を容易に交換することができる。
【００２３】
ヘッドキャップ１１４は，印刷待機中にプリントヘッド１１０のノズル面１５０に装着され，プリントヘッド１１０が含有するインクの乾燥や，ノズル面１５０へ塵や埃などの異物が付着することを防止する。一方，印刷時には，該ヘッドキャップ１１４はプリントヘッド１１０から離脱される。また，ヘッドキャップ１１４は，多孔質層を備え，プリントヘッド１１０がダミー吐出したインクを一時的に保持する機能を有する。なお，ダミー吐出の際にはヘッドキャップ１１４の内部の空間が大気圧になるよう調節できる弁機構を備える（図示せず。）。
【００２４】
吸引ポンプ１１６は，チューブ１１５を介してヘッドキャップ１１４と接続されており，プリントヘッド１１０にヘッドキャップ１１４が装着されているとき，ヘッドキャップ１１４の内部の空間に負圧を与えてプリントヘッド１１０内のインクを吸引することができる。また，ヘッドキャップ１１４に一時的に保持された，プリントヘッド１１０によりダミー吐出されたインクも吸引することができる。
【００２５】
廃インク吸収体１１８は，チューブ１１７を介して吸引ポンプ１１６に接続されており，吸引ポンプ１１６により吸引されたインクが廃棄される。
【００２６】
第一ガイドシャフト１２０は，プリントヘッド１１０を光ディスク２００の半径方向に移動させる。該移動は，第一ガイドシャフト１２０がボールネジ送り機構によりプリントヘッド１１０を移動させることも，ラック・オピニオン機構，ベルト送り機構およびワイヤ送り機構などにより移動させることもできる。シャフト支持部１２２は，第一ガイドシャフト１２０の一端を支持する。
【００２７】
ブレード１２４は，プリントヘッド１１０の印刷待機位置と印刷位置との間に配され，プリントヘッド１１０が印刷待機位置から印刷位置に移動する際，またはプリントヘッド１１０が印刷位置から印刷待機位置に移動する際に，プリントヘッド１１０のノズル面１５０を払拭し，ノズル面１５０に付着した異物やインクなどを除去する。なお，ブレード１２４を上下に移動させることで，ノズル面１５０を払拭するか否かを選択することができる。
【００２８】
また，記録および／または再生部は，トレイ１３０と，スピンドルモータ１３４と，チャッキング部１３８と，光ピックアップ１４０と，移動台１４４と，第二ガイドシャフト１４８とを含む。
【００２９】
トレイ１３０は，光ディスク２００を搭載する形状を有し，図２の左右に移動することで，光ディスク２００の着脱を可能とすることができる。
【００３０】
スピンドルモータ１３４は，モータ駆動回路（図示せず）から入力される制御信号に基づいて回転し，モータ駆動回路と協働して光ディスク２００に対する駆動を行うドライバとして機能する。該スピンドルモータ１３４の回転速度およびモータ駆動回路の詳細については後述する。
【００３１】
チャッキング部１３８は，スピンドルモータ１３４の上部と接触する。トレイ１３０に装着された光ディスク２００は，スピンドルモータ１３４の回転に連動して回転し，トレイ１３０から浮上する。チャッキング部１３８は，上記のように光ディスク２００がトレイ１３０から浮上し，離脱することを防止する機能を有する。
【００３２】
光ピックアップ１４０は，光源と，光源から入射されたレーザー光を偏向するビームスプリッタと，光ディスク２００に偏光されたレーザー光を照射する照射部と，光ディスク２００からの反射光を読取る検出部とを含む光学系モジュールである。
【００３３】
移動台１４４は，光ピックアップ１４０を搭載し，光ディスク２００の半径方向に第二ガイドシャフト１４８により移動することができる。
【００３４】
次に，光ディスク２００の構成を図３を用いて説明する。
【００３５】
図３は，光ディスク２００の図１のＡ−Ａ線における断面の概略を示した説明図である。光ディスク２００は，中心孔２１０，記録面２２０およびレーベル面２３０を含む。
【００３６】
中心孔２１０は，スピンドルモータ１３４およびチャッキング部１３８に光ディスク２００を嵌めるための円形の孔である。中心孔２１０の直径は，１５ｍｍ〜１６ｍｍ程度としてもよい。
【００３７】
記録面２２０は，各種情報を記録するデータ信号記録領域と，光ディスク２００の回転角を検出する基準信号記録領域とを含む。例えば，ＤＶＤ−Ｒにおいては，データ信号記録領域を螺旋状のランド・グルーブ構造により形成することができるが，詳細については，基準信号記録領域と併せて図５を用いて後述する。
【００３８】
レーベル面２３０は，インクジェット印刷におけるインクの受容層（可視情報印画層）として機能し，文字，記号および写真などのレーベル情報を印刷することができる。レーベル面２３０の印刷可能な範囲は，光ディスク２００の半径２０ｍｍ〜５７ｍｍの幅３７ｍｍの領域としてもよい。なお，レーベル面２３０は光ディスク２００の一面に追加的に印刷紙を貼り付けることで構成することもできる。
【００３９】
なお，記録媒体は光ディスク２００に限られること無く，磁気ディスク，光磁気ディスクおよび電気的に書き換え可能なフラッシュメモリなどの記録媒体であってもよい。また，記録媒体の種類に応じて記録媒体印刷装置は，磁気ディスク装置や光磁気ディスク装置とすることができる。
【００４０】
次に，本実施形態による光ディスク装置による印刷部および記録および／または印刷部の制御の流れを説明する。
【００４１】
図４は，本実施形態による光ディスク装置１００の信号の流れを示したブロック図である。光ディスク装置１００は，インターフェース部１６０と，中央制御部１６２と，プリント制御部１７０と，インク吐出駆動回路１７４と，機構部駆動回路１７６と，ヘッド駆動モータ１７８と，ドライブ制御部１８０と，記録制御回路１８４と，トレイ駆動回路１８８と，モータ駆動回路１９２と，信号処理部３００とを含む。
【００４２】
インターフェース部１６０は，光ディスク装置１００と，外部装置とが信号を交信する接続部である。インターフェース部１６０は，外部から光ディスク２００に記録するデータ信号や，レーベル面に印刷するレーベル情報が入力されると，中央制御部１６２にこれらを出力する。また，光ディスク装置２００が光ディスク２００から再生するデータ信号を外部装置に出力する。外部装置としては，データ信号やレーベル情報の授受を行うＰＣやＤＶＤレコーダなどがあげられる。
【００４３】
中央制御部１６２は，光ディスク装置１００の制御全般を行う。具体的には，インターフェース部１６０から入力されたレーベル情報を極座標変換してプリント制御部１７０へ，データ信号をドライブ制御部１８０へ出力し，プリント制御部１７０およびドライブ制御部１８０を制御する。また，ドライブ制御部１８０から入力される基準情報をプリント制御部に出力する。
【００４４】
プリント制御部１７０は，中央制御部１６２からのレーベル情報および基準情報の入力に基づいて，レーベル情報の印刷を制御する信号をインク吐出駆動回路１０４と，機構部駆動回路１７６に出力する。
【００４５】
インク吐出駆動回路１７４は，プリントヘッド１１０を駆動して，インクを搭載された光ディスク２００に吐出する。例えば，インク吐出駆動回路１７４はプリントヘッド１１０に設けられた電極対であり，該電極対の間には，プリント制御部１７０から入力される信号に基づいて電位差が生じる。すると，該電極対が変形し，プリントヘッド１１０のインクを保持するインクタンク（図示せず。）が圧迫され，インクが吐出される。なお，図示の例では，プリントヘッド１１０のノズル面にインクを水滴状に表している。他にも，熱によるインクの膨張を利用する方式によりインク吐出駆動回路１７４を構成するとしてもよい。
【００４６】
機構部駆動回路１７６は，ヘッドキャップ１１４と，吸引ポンプ１１６，ブレード１２４と，ヘッド駆動モータ１７８とを駆動する。ヘッド駆動モータ１７８は，第一シャフト１２０を回転させ，プリントヘッド１１０を光ディスク２００の半径方向に移動させるモータであってもよい。
【００４７】
ここで，プリント制御部１７０が制御して行うレーベル情報の分割記録法，マルチパス記録法および印刷濃度補正法について簡単に説明する。
【００４８】
分割記録法とは，光ディスク２００が一回転するごとにインク吐出の位相をずらして印刷する方法をいう。例えば，光ディスク２００が一回転するごとにインク吐出の位相を１／４ずらし，光ディスク２００を同一半径距離で４回転させたとする。すると，吐出されたインクの間隔（ドットピッチ）は，インク吐出周波数を４倍にして印刷した場合と同一の間隔となり，精度の高いレーベル情報の印刷を実現することができる。
【００４９】
マルチパス記録法は，上記分割記録法で説明したように，光ディスク２００が一回転するごとにインク吐出の位相をずらすとともに，プリントヘッド１１０も光ディスク２００の半径方向にずらしながら印刷する方法をいう。例えば，プリントヘッド１１０にノズルが光ディスク２００の略半径方向に０．０４２３ｍｍの間隔で３２０個並んでおり，またレーベル情報の印刷可能範囲が光ディスク２００の半径２０ｍｍ〜５７ｍｍの幅３７ｍｍの領域であったとする。
【００５０】
すると，光ディスク２００が一回転するごとに，インク吐出の位相を１／４ずらすと同時に，プリントヘッド１１０の光ディスク２００における半径位置を１／４ヘッド（３．３８４ｍｍ）ずつ移動させながら印刷し，全部で光ディスク２００が１４回転したときに印刷が完了する。かかるマルチパス記録法によれば，ノズルごとのインク吐出量のばらつきを減殺し，印刷品質の向上を図ることができる。
【００５１】
印刷濃度補正法とは，インクのドットピッチを光ディスク２００の印刷領域全体で均一化する方法である。光ディスク２００の角速度およびインク吐出周波数を一定にして印刷を行うと，ドットピッチは印刷位置の半径距離に比例するため，内外周において差が生じることとなる。例えば，レーベル情報の印刷可能範囲を光ディスク２００の半径２０ｍｍ〜５７ｍｍの幅３７ｍｍの領域と，インク吐出周波数を８．４ｋＨｚと仮定すると，最外周の半径５７ｍｍの位置ではドットピッチが０．０４２３ｍｍであるが，最内周の半径２０ｍｍの位置ではドットピッチが０．０１４８ｍｍとなる。
【００５２】
すなわち，最内周では最外周のドットピッチの約１／３倍となるため，単位面積あたりの記録インク量は３倍になり印刷濃度が濃くなってしまう。印刷濃度補正法は，かかる問題点を，あらかじめ印刷するレーベル情報を補正して是正する方法である。より詳細には，外部装置から入力されるレーベル情報を極座標系に変換する際に，光ディスク２００の内周におけるレーベル情報を間引くことにより実現される。上記の例では，最内周におけるインクの吐出数が，最外周におけるインク吐出数の１／３となるようにレーベル情報を処理しておくことにより，内外周における印刷濃度差を解消することができる。
【００５３】
なお，光ディスク２００の内外周において，光ディスク２００の回転速度を制御することでも印刷濃度をある程度均一にすることができる。しかし，プリントヘッド１１０には所定の幅があるため，プリントヘッド１１０に含まれる各ノズルの光ディスク２００の半径距離に応じてドットピッチが異なり，印刷濃度差が生じる場合がある。  
【００５４】
ドライブ制御部１８０は，光ディスク２００へのデータ信号の記録および光ディスク２００からのデータ信号の再生制御や，後述する印刷モードと，記録または再生モードにおける回転速度（駆動速度）の切替を行う。
【００５５】
記録制御回路１８４は，音楽信号や映像信号などのデータ信号のエンコード処理や，変調などを行う。トレイ駆動回路１８８は，光ディスク２００を搭載するトレイ１３０を駆動する。
【００５６】
モータ駆動回路１９２は，ドライブ制御部１８０による制御に基づいて，スピンドルモータ１３４と，光ピックアップ駆動モータ（図示せず。）を駆動する。スピンドルモータ１３４は光ディスク２００を回転させ，光ピックアップ駆動モータは光ディスクピックアップ１４０の半径方向位置を移動させる。以下，スピンドルモータ１３４による光ディスク２００の回転速度（駆動速度）について説明する。
【００５７】
光ディスク２００は，データ信号の記録または再生を行う記録または再生モード時において，通常１０００ｒｐｍ〜数１０００ｒｐｍ程度で回転する。仮に，回転速度が３０００ｒｐｍであった場合には，直径１２０ｍｍの光ディスク２００の最外周では周速が１９ｍ／ｓとなる。また，インク吐出の飛翔速度は，通常５〜２０ｍ／ｓ程度である。ここで周速とは，光ディスク２００上の任意の一点が，光ディスク２００の円周方向に移動する速さを意味し，飛翔速度とは，ノズルから吐出されたインクが，ノズルから１ｍｍ程度まで移動するまでの平均速度を意味する。
【００５８】
したがって，光ディスク２００の回転による空気の流れと，複数のノズル間の飛翔速度のばらつきとによるインクの着弾位置の不均一性を考慮して，光ディスク２００のレーベル情報の印刷を行う印刷モード時における回転を，周速で２ｍ／ｓ以下，または回転速度を３２０ｒｐｍ以下にするとしてもよい。インクが光ディスク２００に着弾した後に受ける遠心力の影響を考慮しても，光ディスク２００の回転は，上記周速および回転速度程度にすることが効果的である。
【００５９】
他の具体例として，インクの飛翔速度が１０ｍ／ｓを中心に，±１ｍ／ｓの範囲でノズル毎にばらつき，プリントヘッド１１０と光ディスク２００との距離が１ｍｍである場合を想定する。この場合，インクの飛翔時間は最大１１１μｓとなり，最小で９１μｓとなるため，インクの飛翔時間はノズル間で最大２０μｓの差を生じる。したがって，周速が１９ｍ／ｓである円周上にインクを吐出するとインクの着弾位置の誤差は最大で３８４μｍとなり，周速が２ｍ／ｓである円周上にインクを吐出するとインクの着弾位置の誤差は最大で４０μｍとなる。後者の誤差は肉眼でほとんど分からない程度であるが，前者は後者の９倍以上の肉眼でも確認できる程度の誤差である。
【００６０】
以上のように，光ディスク２００の周速が速すぎるとインクの着弾位置の誤差が大きくなるため，本実施形態ではデータ信号の記録とレーベル情報の印刷とを別個の回転速度で行い，例えば，印刷モードにおける光ディスク２００の回転速度を２３８ｒｐｍ（最外周での周速約１．４ｍ／ｓ。）としてもよい。
【００６１】
信号処理部３００は，光ピックアップ１４０から入力されるＲＦ（Ｒａｄｉｏ  Ｆｒｅｑｕｅｎｃｙ）信号の復調，誤り検出および訂正などの処理を行い，データ信号の再生をしたり，トラッキング信号を生成したりする。なお，光ピックアップ１４０は，光源と，光源から入射されたレーザー光を偏向するビームスプリッタと，光ディスク２００に偏光されたレーザー光を照射する照射部と，光ディスク２００からの反射光を読取る検出部とを含む光学系モジュールである。
【００６２】
また，信号処理部３００は，光ディスク２００の回転角を示す基準信号を検出し，ドライブ制御部１８０に出力する。以下，上記基準信号および基準信号を検出する信号処理部３００の詳細について説明する。
【００６３】
通常，モータにより駆動される駆動部の回転角は，モータに取付けられたロータリーエンコーダやタコジェネレータにより検出される。しかし，光ディスク装置１００においては，光ディスク２００が着脱されるたびに，スピンドルモータ１３４から見た光ディスク２００の相対的な角度が変化するため，上記ロータリーエンコーダやタコジェネレータでは光ディスク２００の絶対的な回転角を検出することができない。
【００６４】
レーベル情報を印刷する際に，光ディスク２００の絶対的な回転角を検出することは，特に以下の点で重要である。第一に，スピンドルモータ１３４の回転と光ディスク２００の回転が必ずしも一致するわけでないため，スピンドルモータ１３４の回転角のみに基づいてレーベル情報を印刷するのでは印刷品質が保証されない。第二に，一度レーベル情報を印刷した光ディスク２００の未印刷領域を利用して，後日新たにレーベル情報を印刷しようとしたときに，光ディスク２００のどこが未印刷領域であるかを光ディスク装置１００が認識できず，追記することができないという問題があった。
【００６５】
本発明の実施の一形態によれば，あらかじめ光ディスク２００に記録された基準信号に基づいて，光ディスク２００の絶対的な回転角情報を検出することが可能な光ディスク装置１００が提供される。
【００６６】
図５は，光ディスク２００の記録面の構成を示した説明図である。図５（ａ）は，光ディスク２００の記録面を模式的に表した説明図である。光ディスク２００は，中心孔２１０と，リードイン領域２４０と，データ領域２５０と，リードアウト領域２５４と，基準信号記録領域２６０とを含む。
【００６７】
リードイン領域２４０は，データ領域２５０の内側に位置し，データ領域２５０の始点を示している。リードアウト領域２５４は，データ領域２５０の外側に位置し，データ領域２５０の終点を示している。データ領域２５０は，リードイン領域２４０とリードアウト領域２５４との間に位置し，データ信号を記録することができる。これらの３つの領域は，例えば，螺旋状のランド・グルーブ構造からなり，ディスク情報，セクタ情報およびクロック信号は，グルーブのウォブル信号およびランドのプリピット信号を用いて記録されている。
【００６８】
基準信号記録領域２６０は，リードアウト領域２５４の外側に設けられ，光ディスク２００の回転角を示す基準信号を記録することができる。
【００６９】
図５（ｂ）は，基準信号記録領域２６０の一部を拡大して示した説明図である。図示の例では，ピット信号により基準信号を記録している様子を示している。
【００７０】
基準信号記録領域２６０には，同心円状に複数の基準信号をピット２６２およびランド２６４により記録することができる。なお，基準信号は，ランド・グルーブ構造におけるウォブル信号およびランドのプリピット信号によって記録される構成としても，螺旋状に記録される構成としてもよい。また，基準信号記録領域２６０をデータ領域２５０に包含させることもできる。
【００７１】
図６は，光学式の記録媒体の１つであるＤＶＤ−ＲＯＭの物理セクタの規格を示した説明図である。１つの同期フレーム（Ｓｙｎｃ  Ｆｒａｍｅ）は，３２チャンネルビットからなる同期信号（ＳＹ０〜ＳＹ７）を先頭にした１４８８チャンネルビットを含む。１つの物理セクタは，２列１３行の同期フレームを含み，３８６８８チャンネルビットで構成されており，ピットの記録長さとしては５．１０〜５．２１ｍｍ程度となる。
【００７２】
したがって，図５に示したように基準信号記録領域２６０を光ディスク２００の最外郭部に，一例として半径５８．５ｍｍの円周上に設けた場合，７１個の物理セクタを同一円周上に配することができる。
【００７３】
図７は，基準信号記録領域２６０における物理セクタおよびそのデータを示した説明図である。１つの長方形領域が１つの物理セクタに相当し，該物理セクタの中に示した数値が，該物理セクタに付与されたデータの値を意味している。
【００７４】
上述したように，７１個の物理セクタを同一円周上に配した場合，各物理セクタを識別するために，各物理セクタにデータ０〜データ７０を，各物理セクタが再生される順にデータの値が減少するように付与することができる。かかる構成により，データ０の物理セクタの再生が終了した時点を光ディスク２００の基準位置とすることで，光ディスク２００の絶対的な回転角を検出することができる。なお，通常各物理セクタのデータの内容には，誤り訂正データが含まれるがここでは省略している。
【００７５】
また，図５に示したように，同心円状に複数の基準信号を設けることにより，１つの基準信号がキズや汚れなどにより再生できない状態であっても，他の基準信号に基づいて光ディスク２００の基準位置および絶対的な回転角を検出することができる。
【００７６】
次に，このような基準信号を処理する信号処理部３００について説明する。
【００７７】
図８は，本実施形態による光ディスク装置１００の信号処理部３００の詳細な構造を示したブロック図である。信号処理部３００は，ＲＦアンプ３０４と，イコライザ３０８と，２値化部３１２と，ＰＬＬ３１６と，ＥＦＭ復調部３２０と，誤り訂正部３２４と，原点判定部３２８と，回転角カウンタ３３２とを含む。
【００７８】
ＲＦアンプ３０４は，光ピックアップ１４０から入力される高周波信号を増幅してイコライザ３０８に出力する。より詳細には，光ピックアップ１４０により基準信号は電流の強弱として読出され，ＲＦアンプ３０４が該電流の強弱を電流―電圧変換により増幅して，高周波信号を出力する。
【００７９】
イコライザ３０８は，ＲＦアンプ３０４から入力される高周波信号のうち，光ピックアップ１４０の信号の読出し特性により劣化した高い周波数成分を強調する。
【００８０】
２値化部３１２は，イコライザ３０８から入力される高周波信号を「１」または「０」のいずれかに量子化する。２値化部３１２としては，比較器を用いることができる。
【００８１】
ＰＬＬ３１６は，２値化部３１２から入力される高周波信号から，再生クロックを生成する。また，生成した再生クロックをモータ駆動回路１９２と，ＲＦアンプ３０４と，イコライザ３０８と，２値化部３１２と，ＥＦＭ復調部３２０と，誤り訂正部３２４と，原点判定部３２８と，回転角カウンタ３３２とに出力する。
【００８２】
ＥＦＭ復調部３２０は，２値化部３１２から入力されるＥＦＭ（Ｅｉｇｈｔ  ｔｏ  Ｆｏｕｒｔｅｅｎ  Ｍｏｄｕｌａｔｉｏｎ）変調された高周波信号を，復調して再生信号として誤り訂正部３２４に出力する。
【００８３】
誤り訂正部３２４は，ＥＦＭ復調部３２０から入力される再生信号の誤りを検出し，誤りがあった場合には訂正して出力する。
【００８４】
原点判定部３２８は，上記光ディスク２００のデータ０の物理セクタの再生が終了した位置を原点位置と判定し，回転角カウンタ３２８に原点検出信号を出力する。なお，原点位置の判定方法はこれに限られることなく，基準信号記録領域２６０の一部にブランク領域を設けておき，該ブランク領域を検出した位置を原点位置とすることもできる。
【００８５】
回転角カウンタ３３２は，ＰＬＬ３１６から入力される再生クロックをカウントし，原点判定部３２８から原点検出信号が入力されると，該カウントをリセットする。再生クロックは，ＤＶＤ−Ｒのフォーマットにおいて，ディスクの円周上の約１３３ｎｍ刻みで発生する情報であるので，回転角カウンタ３３２により，円周上の約１３３ｎｍに相当する大きさの角度刻みで光ディスク２００の回転角を検出することができる。すなわち，回転角カウンタ３３２は，基準信号記録領域２６０の円周上の位置を１９１，０００ｄｐｉの分解能で検出することができる。
【００８６】
また，上記ＲＦアンプ３０４と，イコライザ３０８と，２値化部３１２と，ＰＬＬ３１６と，ＥＦＭ復調部３２０と，誤り訂正部３２４とは従来の信号処理部３００に含まれる構成であるため，原点判定部３２８と，回転角カウンタ３３２とを回路に追加することで光ディスク２００の回転角の検出を実現することができる。
【００８７】
次に，以上説明した光ディスク装置１００の動作について説明する，
【００８８】
図９は，本実施形態による光ディスク装置１００の動作の流れを示したフローチャートである。
【００８９】
まず，光ディスク装置１００にレーベル情報の印刷が要求されると，光ディスク２００がチャッキングされているか否かを判断する（Ｓ８０４，Ｓ８０８）。光ディスク２００がチャッキングされていないと判断されると，チャッキング部１３８が光ディスク２００をチャッキングする（Ｓ８１２）。
【００９０】
Ｓ８０８において光ディスク２００がチャッキングされていると判断された場合，およびＳ８１２において光ディスク２００がチャッキングされた後，スピンドルモータ１３４が光ディスク２００の回転を開始する（Ｓ８１６）。そして，プリントヘッド１１０に装着されていたヘッドキャップ１１４の内側を大気圧にし（Ｓ８２０），プリントヘッド１１０はインクのダミー吐出を行う（Ｓ８２４）。次に，吸引ポンプ１１６は，ヘッドキャップ１１４のプリントヘッド１１０によりダミー吐出されたインクを吸引し（Ｓ８２８），ブレード１２４をプリントヘッド１１０のノズル面を払拭できる位置に移動させる（Ｓ８３２）。
【００９１】
そして，プリントヘッド１１０を印刷開始位置に移動させ，該移動の過程でプリントヘッド１１０のノズル面１５０をブレード１２４により払拭する（Ｓ８３６）。続いて，光ピックアップ１４０により光ディスク２００の原点位置が検出されると，プリントヘッド１１０はレーベル情報を一回転分だけ印刷する（Ｓ８４０）。そして，必要に応じてプリントヘッド１１０を光ディスク２００の半径方向に移動させる（Ｓ８４８）。ここで，レーベル情報の印刷が終了したか否かを判断し（Ｓ８５２），レーベル情報の印刷が終了したと判断した場合には光ディスク２００の回転を停止させる（Ｓ８５６）。レーベル情報の印刷が終了していないと判断した場合には，Ｓ８４０に戻ってレーベル情報の印刷を継続する。
【００９２】
次に，プリントヘッド１１０を印刷待機位置に移動させ，該移動の過程でプリントヘッド１１０のノズル面１５０をブレード１２４により払拭する（Ｓ８６０）。そして，ブレード１２４を待機位置へ移動させ（Ｓ８６４），プリントヘッド１１０はインクのダミー吐出を行う（Ｓ８６８）。次に，吸引ポンプ１１６は，ヘッドキャップ１１４のプリントヘッド１１０によりダミー吐出されたインクを吸引し（Ｓ８７６），ヘッドキャップ１１４はプリントヘッド１１０のノズル面１５０に装着される（Ｓ８４６）。
【００９３】
なお，このような光ディスク装置１００により印刷されるレーベル情報の形式は，自由に設定することができる。
【００９４】
図１０は，光ディスク２００のレーベル面に印刷されたレーベル情報の一例を示した説明図である。レーベル情報は，番組名，放送日時および題目を含むことができ，また，番組の内容を示す写真や絵などの画像も含むことができる。
【００９５】
図１０（ａ）は，レーベル情報を光ディスク２００のレーベル面に横書きした例を，図１０（ｂ）は，レーベル情報を光ディスク２００のレーベル面に縦書きした例を示している。印刷形式はこれに限られることなく，円周方向や螺旋状など多様な形式とすることができる。また，印刷するレーベル情報の項目，文字のサイズおよび文字のフォントなども適宜選択することができる。
【００９６】
また，上記の光ディスク装置１００ではスピンドルモータ１３４により記録媒体である光ディスク２００自体を回転させる例をあげて説明したが，記録媒体に対する駆動を行うドライバとは，記録媒体と印刷部の少なくともいずれかを駆動して記録媒体と印刷部に速度差を生じさせるドライバ，および記録媒体と記録および／または再生部の少なくともいずれかを駆動して記録媒体と印刷部に速度差を生じさせるドライバを含む概念である。なお，ドライバの駆動による運動は回転運動に限られず，例えば直線運動であってもよい。
【００９７】
したがって，記録媒体，印刷部および記録および／または再生部をドライバにより可動とする場合，ドライバの駆動速度とは，印刷モードにおいては上記印刷部を基準とした記録媒体の相対速度を意味し，記録または再生モードにおいては上記記録および／または再生部を基準とした記録媒体の相対速度を意味する。
【００９８】
また，本実施形態で説明したように，記録媒体自体を駆動する場合，記録媒体に対して駆動を行うドライバとは，記録媒体を駆動するドライバを意味する。駆動速度には，記録媒体の回転速度や移動速度などが相当する。
【００９９】
（第二の実施形態）
次に，本発明の第二の実施形態による光ディスク装置１００について説明する。
【０１００】
図１１は，本発明の第二の実施形態による光ディスク装置１００の平面図である。プリントヘッド１１０と，ブレード１２０と，第一ガイドシャフト１２２と，シャフト支持部１２４と，トレイ１３０と，チャッキング部１３８と，光ピックアップ１４０と，移動台１４４と，インクカートリッジ３５０〜３８０とを含む。ブレード１２０と，第一ガイドシャフト１２２と，シャフト支持部１２４と，トレイ１３０と，チャッキング部１３８と，光ピックアップ１４０と，移動台１４４の構成および動作は第一の実施形態と実質的に同一であるので説明を省略する。
【０１０１】
インクカートリッジ３５０はイエロー，インクカートリッジ３６０はシアン，インクカートリッジ３７０はマゼンダ，インクカートリッジ３８０はブラックのカラーインクを含む。また，プリントヘッド１１０は，各色のインクを吐出するために複数のノズル列３５４〜３８４を備える。かかる構成により，レーベル情報を光ディスク２００のレーベル面にフルカラーで印刷することができる。
【０１０２】
一方，本実施形態による光ディスク装置１００のプリントヘッド１１０には複数のノズル列が含まれるため，全てのノズル列３５４〜３８４の配列方向を光ディスク２００の半径方向と一致させることはできない。したがって，例えばノズル列３５４〜３８４の最も内側のノズルからそれぞれインクを吐出しても，インクの着弾する光ディスク２００の半径距離がばらついてしまう場合が生じていた。      
【０１０３】
すなわち，ノズル列３５４および３８４は，光ディスク２００の所定の半径方向に伸びる直線を軸に線対称の関係にあるため，インクが着弾する半径距離は一致する。ノズル列３６４および３７４も同様である。しかし，ノズル列３５４とノズル列３６４や，ノズル列３７４および３８４などは，上記線対称の関係にないためインクが着弾する半径距離が不均一となってしまう問題があった。
【０１０４】
そこで，本実施形態による光ディスク装置１００においては，レーベル情報の各ドットを印刷するノズルおよびインク吐出タイミングを，インクの着弾位置が最適化されるような演算により決定することができる。上記演算により，インクが着弾する半径距離のばらつきを１ドット（印刷画像を構成する各インクの間隔。）以内に減殺できるため，レーベル情報を高品質で印刷することができる。特に，印刷解像度を３００ｄｐｉ程度以上とすれば上記のような問題をほぼ解消することができる。
【０１０５】
（第三の実施形態）
次に，本発明の第三の実施形態による光ディスク装置１００を備えた記録再生装置４００について説明する。
【０１０６】
記録再生装置４００は，外部から受信する放送信号に基づいて映像や音声を再生し，また該映像や音声を内蔵するＨＤＤ４７２に記録する機能を有する。また，光ディスク装置１００を用いて光ディスク２００に映像や音声などのデータ信号を記録したり，光ディスク２００からデータ信号を読取り，映像や音声などを再生することもできる。以下，このような記録再生装置４００の詳細について説明する。
【０１０７】
図１２は，記録再生装置４００の構成を示したブロック図である。記録再生装置４００は，光ディスク装置１００と，アンテナ４０４と，チューナ４１２と，復調器４１６と，デコーダ４２０と，ＲＡＭ４２４と，ミキサ４２６と，リモコン４２８と，リモコンインターフェース（Ｉ／Ｆ）４３２と，Ｕ／Ｉ制御部４３６と，グラフィック処理コントローラ４４０と，コンポーザ４４４と，バス４４８と，通信制御部４５２と，ＣＰＵ４５０と，ＲＡＭ４６０と，ＲＯＭ４６４と，ＨＤＤインターフェース４６８と，ＨＤＤ４７２と，を含み，スピーカ４７６と，ディスプレイ４８０と，外部機器４９０と接続されている。
【０１０８】
アンテナ４０４は，衛星やテレビ局などから送信された放送波を受信する。アンテナ４０４は，指向性のある放送信号も受信できるよう，パラボラアンテナで構成してもよい。
【０１０９】
チューナ４１２は，アンテナ４０４が受信する放送波に含まれる複数のチャンネルの放送信号から，ＣＰＵの制御に基づいて所定チャネルの放送信号を選局し，該放送信号を復調器４１６に出力する。放送信号は，映像信号や音声信号の他に，後述する電子番組データが重畳されている。
【０１１０】
復調器４１６は，チューナ４１２から入力される放送信号がデジタル形式であった場合，これをアナログ形式に変換し，デコーダ４２０に出力する。デコーダ４２０は，復調器４１６から入力される放送信号を復号し，音声信号をミキサ４２６に，映像信号をコンポーザ４４４に出力する。ＲＡＭ４２４は，デコーダ４２０が放送信号の復号処理をする際に用いられる作業領域である。
【０１１１】
ミキサ４２６は，デコーダおよび光ディスク装置１００からバス４４８を介して入力される音声信号の，周波数帯域毎の振幅や全体のバランスの調整を行い，スピーカ４７６に出力する。スピーカ４７６は，ミキサ４２６から入力される音声信号を音声に変換して出力する。
【０１１２】
リモコン４２８は，ユーザによる記録再生装置４００に関する各種操作を検出し，記録再生装置４００に赤外線信号として発光する。リモコンインターフェース４３２は，赤外線信号を受光し，Ｕ／Ｉ制御部４３６が該赤外線信号を電気信号に変換してＣＰＵ４５６に出力する。
【０１１３】
グラフィック処理コントローラ４４０は，放送信号に重畳される電子番組データに基づいて電子番組表を作成したり，ＧＵＩ（Ｇｒａｐｈｉｃａｌ  Ｕｓｅｒ  Ｉｎｔｅｒｆａｃｅ）の表示画面を生成したりする。
【０１１４】
コンポーザ４４４は，光ディスク装置１００，ＨＤＤ４６８およびデコーダ４２０などから入力される映像信号と，グラフィック処理コントローラ４４０が生成した表示画面とを組合わせて，またはいずれか一方をディスプレイ４８０に出力する。ディスプレイ４８０は，コンポーザ４４４からの入力に基づいた映像を表示する。
【０１１５】
通信制御部４５２は，記録再生装置４００の外部装置との通信全般を制御する。ＣＰＵ４５６は記録再生装置４００全体の動作を制御し，ＲＡＭ４６０はＣＰＵ４５６の作業領域である。ＲＯＭ４６４は，記録再生装置４００の起動の際に読込まれるプログラムを記憶する。
【０１１６】
ＨＤＤインターフェース４６８は，ＨＤＤ４７２とデータ信号の授受を行う。ＨＤＤ４７２には，映像信号や音声信号などのデータ信号が記録される。
【０１１７】
外部機器４９０は，チューナ４９２およびアンテナ４９４を含み，アンテナ４９４により放送波を受信し，チューナ４９２が該放送波から所定の放送信号を選択して記録再生装置４００に出力することができる。
【０１１８】
光ディスク装置１００は，上記の実施形態で説明したように，光ディスク２００の記録面にデータ信号を，レーベル面にレーベル情報を印刷することができる。以下，記録再生装置４００と協働して動作する光ディスク装置１００について説明する。
【０１１９】
光ディスク２００のレーベル面に印刷するレーベル情報は，リモコン４２８をユーザが操作して記録再生装置４００に，所望する文字列や記号などを入力して生成することができる。しかし，レーベル情報を印刷しようとする度に，テレビ番組の番組名や放送日時などをユーザが入力することは煩雑である。したがって，本実施形態による光ディスク装置１００は，電子番組データを用いてレーベル情報を作成できる構成とし，ユーザの手間を軽減できる。
【０１２０】
図１３は，電子番組データの内容を示した説明図である。電子番組データは，例えば，番組名，チャンネル，放送日時，メインジャンル，サブジャンルおよび出演者などを含む。このような電子番組データを用いてレーベル情報を作成することにより，ユーザが一から番組名や放送日時などを入力する手間が省けるため，簡素にレーベル情報を印刷することが可能となる。
【０１２１】
なお，ＨＤＤ４７２にテレビ番組のデータを記憶させる場合，ＣＰＵ４５６が映像や音声のデータと，該テレビ番組の電子番組データとを対応付けて行う。かかる構成により，リアルタイムで光ディスク２００にレーベル情報を印刷する場合に限らず，一旦ＨＤＤ４７２にテレビ番組のデータを記憶した後であっても，電子番組データに基づいてレーベル情報を作成することができる。
【０１２２】
また，リアルタイムで光ディスク２００にデータ信号のみを記録し，レーベル情報を印刷しなかった場合，該レーベル情報をＨＤＤ４７２または光ディスク２００の所定の記録面に記録しておいてもよい。かかる構成によれば，一度必要ないと考え印刷しなかったレーベル情報が事後的に必要となった場合に，該レーベル情報を光ディスク２００に容易に印刷することができる。
【０１２３】
さらに，ＨＤＤ４７２に，光ディスク２００に印刷したレーベル情報を記憶するとしてもよい。より詳細には，光ディスク２００は固有のシリアルナンバーを有し，該シリアルナンバーにより光ディスク２００を識別することができる。したがって，ＨＤＤ４７２に，光ディスク２００に印刷したレーベル情報と，該光ディスク２００のシリアルナンバーを対応付けて記憶することができる。
【０１２４】
かかる構成によれば，既にレーベル情報が印刷された光ディスク２００の未印刷領域に，さらにレーベル情報を印刷すること（追記印刷）が可能となる。すなわち，中央制御部１６２またはＣＰＵ４５６などの制御部が，ＨＤＤ４７２に記憶された光ディスク２００のシリアルナンバーを検索し，該シリアルナンバーに対応付けられた印刷済みのレーベル情報を抽出する。そして，該印刷済みのレーベル情報に基づいて光ディスク２００のレーベル面の未印刷領域を推定し，該未印刷領域の範囲内で新たなレーベル情報を作成する。したがって，光ディスク装置１００は，該新たなレーベル情報を，印刷済みのレーベル情報と重なることなく印刷することが可能となる。
【０１２５】
上記の光ディスク２００に印刷したレーベル情報は，該光ディスク２００の記録面の所定領域に記録することもできる。かかる構成によれば，過去にレーベル情報を印刷する際に用いた記録再生装置と異なる記録再生装置でも，レーベル情報の追記印刷をすることができる。
【０１２６】
次に，記録再生装置４００の動作の流れについて説明する。
【０１２７】
図１４は，記録再生装置４００の動作の流れを示したフローチャートである。記録再生装置４００は，まずトレイ１３０のオープン要求を検出すると，トレイ１３０を開く（Ｓ９０４，Ｓ９０８）。そしてトレイ１３０に光ディスク２００がセットされ，トレイ１３０のクローズ要求を検出すると，トレイ１３０を閉める（Ｓ９１２，Ｓ９１６，Ｓ９２０）。続いて，チャッキング部１３８が光ディスク２００をチャッキングする（Ｓ９２４）。
【０１２８】
次に，データ信号の記録を行うか，レーベル情報の印刷を行うかを判断する（Ｓ９２８）。データ記録処理をすると判断した場合，光ディスク２００にデータ信号を記録する（Ｓ９３２）。なお，データ信号の光ディスク２００への記録処理は，ＣＤ−Ｒ／ＲＷ，記録可能なＤＶＤ（ＤＶＤ−Ｒ／ＲＷ／＋Ｒ／＋ＲＷ／ＲＡＭなど。）および記録可能なブルーレイディスク（ＢＤ−Ｒ／ＢＤ−ＲＥ）などの記録方法に準じて行われる。
【０１２９】
続いて，レーベル面にレーベル情報の印刷をするか否かを判断する（Ｓ９３６）。レーベル情報の印刷をしないと判断した場合には，レーベル情報を光ディスク２００の記録面の所定領域やＨＤＤ４７２などに記憶して終了する（Ｓ９４０）。レーベル情報の印刷をすると判断した場合には，レーベル情報を作成する（Ｓ９４４）。そして，第一の実施形態で説明したレーベル情報の印刷処理を実行する（Ｓ９５２）。
【０１３０】
Ｓ９２８で，レーベル情報の印刷をすると判断した場合，光ディスク２００の記録面の所定領域やＨＤＤ４７２などに記憶されているレーベル情報を読出し（Ｓ９４８），第一の実施形態で説明したレーベル情報の印刷処理を実行する（Ｓ９５２）。なお，ここでは既にデータ信号が記録された光ディスク２００に，該データ信号の内容を示すレーベル情報を事後的に印刷する場面を想定している。
【０１３１】
レーベル情報の印刷処理が終了すると，光ディスク２００のチャッキング部１３８によるチャッキングを解除する（Ｓ９５６）。最後に，光ディスク２００が取出せるようにトレイ１３０を開き（Ｓ９６０），動作を終了する。
【０１３２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１３３】
例えば，光ディスク２００へのレーベル情報の印刷は，データ信号の記録の前であっても後であってもよい。また，本明細書のレーベル情報の印刷処理，記録再生装置における各ステップは，必ずしもフローチャートとして記載された順序に沿って時系列に処理する必要はなく，並列的あるいは個別に実行される処理（例えば，並列処理あるいはオブジェクトによる処理）も含むとしてもよい。
【図面の簡単な説明】
【０１３４】
【図１】本実施形態による光ディスク装置の概略外観を示した平面図である。
【図２】本実施形態による光ディスク装置の概略外観を示した側面図である。
【図３】光ディスクの図１のＡ−Ａ線における断面の概略を示した説明図である。
【図４】本実施形態による光ディスク装置の信号の流れを示したブロック図である。
【図５】光ディスクの記録面の構成を示した説明図である。
【図６】ＤＶＤ−ＲＯＭの物理セクタの規格を示した説明図である。
【図７】基準信号記録領域における物理セクタおよびそのデータを示した説明図である。
【図８】本実施形態による光ディスク装置の信号処理部の詳細な構造を示したブロック図である。
【図９】本実施形態による光ディスク装置の動作の流れを示したフローチャートである。
【図１０】光ディスクのレーベル面に印刷されたレーベル情報の一例を示した説明図である。
【図１１】本発明の第二の実施形態による光ディスク装置の平面図である。
【図１２】本発明の第三の実施形態による記録再生装置の構成を示したブロック図である。
【図１３】電子番組データの内容を示した説明図である。
【図１４】記録再生装置の動作の流れを示したフローチャートである。
【符号の説明】
【０１３５】
１００      光ディスク装置
１１０      プリントヘッド
１３０      トレイ
１３４      スピンドルモータ
１４０      光ピックアップ
１６２      中央制御部
１７０      プリント制御部
１８０      ドライブ制御部
１９２      モータ駆動回路
２２０      記録面
２３０      レーベル面
２６０      基準信号記録領域
３００      信号処理部
４００      記録再生装置
４６８      ＨＤＤ
【図１】
2007257764.tif 000003
【図２】
2007257764.tif 000004
【図３】
2007257764.tif 000005
【図４】
2007257764.tif 000006
【図５】
2007257764.tif 000007
【図６】
2007257764.tif 000008
【図７】
2007257764.tif 000009
【図８】
2007257764.tif 000010
【図９】
2007257764.tif 000011
【図１０】
2007257764.tif 000012
【図１１】
2007257764.tif 000013
【図１２】
2007257764.tif 000014
【図１３】
2007257764.tif 000015
【図１４】
2007257764.tif 000016